【手続補正書】
【提出日】平成17年2月28日(2005.2.28)
【手続補正１】
【補正対象書類名】明細書
【補正対象項目名】特許請求の範囲
【補正方法】変更
【補正の内容】
【特許請求の範囲】
【請求項１】
携帯通信端末のアンテナ装置において、
前記携帯通信端末に内蔵される拡声器の拡声方向と反対側に放射量の多い指向性を有する第１のアンテナと、
無指向性の第２のアンテナと、
前記携帯通信端末が操作者の近傍で使用される第１の状態と、操作者から離れた位置で使用される第２の状態とを判別する判別手段と、
前記判別手段により前記携帯通信端末が前記第１の状態であると判別された場合は前記第１のアンテナを接続し、前記第２の状態であると判別された場合は前記第２のアンテナを接続する切替え手段と
を具備することを特徴とするアンテナ装置。
【請求項２】
携帯通信端末のアンテナ装置において、
給電部を有する無指向性の主放射導体と、
前記主放射導体に近接して配置される無給電導体と、
前記携帯通信端末が操作者の近傍で使用される第１の状態と、操作者から離れた位置で  使用される第２の状態とを判別する判別手段と、
前記判別手段により前記携帯通信端末が前記第１の状態であると判別された場合は、前記無給電導体を機能させて該携帯通信端末に内蔵される拡声器の拡声方向と反対側への前記主放射導体の放射量を多くし、操作者から離れた位置で使用される第２の状態であると判別された場合は、該無給電導体を機能させず該主放射導体の無指向性を維持する制御手段と
を具備することを特徴とするアンテナ装置。
【請求項３】
前記判別手段は、
前記携帯通信端末が通話状態の場合に、該携帯通信端末は第１の状態であると判別する
ことを特徴とする請求項１又は請求項２に記載のアンテナ装置。
【請求項４】
前記判別手段は、
前記携帯通信端末に外付けイヤホンが接続されておらず、かつ該携帯通信端末に内蔵される拡声器が使用されている場合に、該携帯通信端末は第１の状態であると判別する
ことを特徴とする請求項１又は請求項２に記載のアンテナ装置。
【請求項５】
前記携帯通信端末は、
表示部を有する第１の本体部と操作部を有する第２の本体部とをヒンジ部を介して開閉可能に連結された端末であり、
前記判別手段は、
前記携帯通信端末が、前記第１の本体部と前記第２の本体部とが閉じている第１の状態にあるか、前記第１の本体部と前記第２の本体部とが開いている第２の状態にあるかを判別する
ことを特徴とする請求項１又は請求項２に記載のアンテナ装置。
【請求項６】
携帯通信端末のアンテナ装置において、
給電部を有する無指向性の主放射導体と、
前記主放射導体に近接して配置される無給電導体と、
前記携帯通信端末の送信時に前記無給電導体を機能させて該携帯通信端末に内蔵される拡声器の拡声方向と反対側への前記主放射導体の放射量を多くし、該携帯通信端末の受信時に該無給電導体を機能させず該主放射導体の無指向を維持する制御手段と
を具備することを特徴とするアンテナ装置。
【手続補正２】
【補正対象書類名】明細書
【補正対象項目名】０００８
【補正方法】変更
【補正の内容】
【０００８】
【課題を解決するための手段】
上述した目的を達成するため、請求項１記載の発明は、携帯通信端末のアンテナ装置において、前記携帯通信端末に内蔵される拡声器の拡声方向と反対側に放射量の多い指向性を有する第１のアンテナと、無指向性の第２のアンテナと、前記携帯通信端末が操作者の近傍で使用される第１の状態と、操作者から離れた位置で使用される第２の状態とを判別する判別手段と、前記判別手段により前記携帯通信端末が前記第１の状態であると判別された場合は前記第１のアンテナを接続し、前記第２の状態であると判別された場合は前記第２のアンテナを接続する切替え手段とを具備することを特徴とする。
【手続補正３】
【補正対象書類名】明細書
【補正対象項目名】０００９
【補正方法】変更
【補正の内容】
【０００９】
また、請求項２記載の発明は、携帯通信端末のアンテナ装置において、給電部を有する無指向性の主放射導体と、前記主放射導体に近接して配置される無給電導体と、前記携帯通信端末が操作者の近傍で使用される第１の状態と、操作者から離れた位置で  使用される第２の状態とを判別する判別手段と、前記判別手段により前記携帯通信端末が前記第１の状態であると判別された場合は、前記無給電導体を機能させて該携帯通信端末に内蔵される拡声器の拡声方向と反対側への前記主放射導体の放射量を多くし、操作者から離れた位置で使用される第２の状態であると判別された場合は、該無給電導体を機能させず該主放射導体の無指向性を維持する制御手段とを具備することを特徴とする。
【手続補正４】
【補正対象書類名】明細書
【補正対象項目名】００１０
【補正方法】変更
【補正の内容】
【００１０】
また、請求項３記載の発明は、請求項１又は請求項２に記載の発明において、前記判別手段は、前記携帯通信端末が通話状態の場合に、該携帯通信端末は第１の状態であると判別することを特徴とする。
【手続補正５】
【補正対象書類名】明細書
【補正対象項目名】００１１
【補正方法】変更
【補正の内容】
【００１１】
また、請求項４記載の発明は、請求項１又は請求項２に記載の発明において、前記判別手段は、前記携帯通信端末に外付けイヤホンが接続されておらず、かつ該携帯通信端末に内蔵される拡声器が使用されている場合に、該携帯通信端末は第１の状態であると判別することを特徴とする。
【手続補正６】
【補正対象書類名】明細書
【補正対象項目名】００１２
【補正方法】変更
【補正の内容】
【００１２】
また、請求項５記載の発明は、請求項１又は請求項２に記載の発明において、前記携帯通信端末は、表示部を有する第１の本体部と操作部を有する第２の本体部とをヒンジ部を介して開閉可能に連結された端末であり、前記判別手段は、前記携帯通信端末が、前記第１の本体部と前記第２の本体部とが閉じている第１の状態にあるか、前記第１の本体部と前記第２の本体部とが開いている第２の状態にあるかを判別することを特徴とする。
【手続補正７】
【補正対象書類名】明細書
【補正対象項目名】００１３
【補正方法】変更
【補正の内容】
【００１３】
また、請求項６記載の発明は、携帯通信端末のアンテナ装置において、給電部を有する無指向性の主放射導体と、前記主放射導体に近接して配置される無給電導体と、前記携帯通信端末の送信時に前記無給電導体を機能させて該携帯通信端末に内蔵される拡声器の拡声方向と反対側への前記主放射導体の放射量を多くし、該携帯通信端末の受信時に該無給電導体を機能させず該主放射導体の無指向を維持する制御手段とを具備することを特徴とする。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】